(57)【要約】【課題】洗浄対象物を洗浄した後、その洗浄対象物を無菌状態に維持してクリーンベンチ内の作業空間に簡単且つ確実に搬入可能にし、クリーンベンチの運転モードを陽圧又は常圧又は陰圧運転モードの何れかに択一的に切換え可能な洗浄パスボックス付きクリーンベンチ装置を提供する。【解決手段】洗浄パスボックス付きクリーンベンチ装置１は、洗浄対象物を収容する洗浄空間１１を有し洗浄対象物を空気又は洗浄液にて洗浄する洗浄装置を備えた洗浄パスボックス２をクリーンベンチ３に隣接させて一体的に並設し、洗浄パスボックス２とクリーンベンチ３との間を仕切る仕切壁３８に搬入用開口５７を形成し、その搬入用開口５７を開閉可能な開閉扉を設け、開閉扉を開き搬入用開口５７を開放した状態で、洗浄空間１１内で洗浄された洗浄対象物を搬入用開口５７からクリーンベンチ３内の作業空間３１に搬入可能に構成する。【選択図】  図１
2004183951.tif 000002
【特許請求の範囲】
【請求項１】
作業テーブルと、その上側の作業空間を覆うケースと、このケースに形成された作業用開口と、この作業用開口を開閉可能な開閉体と、作業空間の空気を換気する換気手段と、この換気手段で換気される空気を清浄化するフィルタ手段とを備えたクリーンベンチであって、
器具や容器や材料等の洗浄対象物を収容する洗浄空間を有し洗浄対象物を空気又は洗浄液にて洗浄する洗浄手段を備えた洗浄パスボックスをクリーンベンチに隣接させて一体的に並設し、
前記洗浄パスボックスとクリーンベンチとの間を仕切る仕切壁と、洗浄空間と作業空間とに臨むように仕切壁に形成された搬入用開口と、この搬入用開口を開閉可能な開閉扉とを備え、
前記開閉扉を開き搬入用開口を開放した状態で、前記洗浄空間内で洗浄された洗浄対象物を搬入用開口からクリーンベンチ内の作業空間に搬入可能に構成したことを特徴とする洗浄パスボックス付きクリーンベンチ装置。
【請求項２】
前記換気手段を介して、前記作業空間の雰囲気圧を陽圧にして運転する陽圧運転モードと、作業空間の雰囲気圧を常圧にして運転する常圧運転モードと、作業空間の雰囲気圧を陰圧にして運転する陰圧運転モードの何れかに択一的に切換える運転モード切換え手段を設けたことを特徴とする請求項１に記載の洗浄パスボックス付きクリーンベンチ装置。
【請求項３】
前記換気手段は、電動ファンと、吸気口及び排気口と、吸気通路を開閉可能な第１ダンパと、排気通路を開閉可能な第２ダンパとを備え、
前記運転モード切換え手段は、陽圧運転モードでは第１ダンパを開き第２ダンパを閉じた状態で電動ファンを作動させて作業空間を陽圧にし、常圧運転モードでは第１，第２ダンパを閉じた状態で電動ファンを作動させて作業空間を常圧にし、陰圧運転モードでは第１ダンパを閉じ第２ダンパ開けた状態で電動ファンを作動させて作業空間を陰圧にすることを特徴とする請求項２に記載の洗浄パスボックス付きクリーンベンチ装置。
【請求項４】
前記運転モード切換え手段は、前記作業空間で取り扱う薬剤や物質の種類に関する情報に基づいて自動的に運転モードを切換える自動モード切換え手段を有することを特徴とする請求項２又は３に記載の洗浄パスボックス付きクリーンベンチ装置。
【請求項５】
前記運転モード切換え手段は、オペレータの手動操作により運転モードを切換える手動モード切換え手段を有することを特徴とする請求項４に記載の洗浄パスボックス付きクリーンベンチ装置。
【請求項６】
前記洗浄パスボックスは、吸気口及び排気口と、吸気口から前記洗浄空間内に空気を導入する吸気ファンと、排気口から前記洗浄空間内の空気を排気する排気ファンとを備え、
前記換気手段の排気口と洗浄パスボックスの排気口とを連通させる排気連通口を設け、陰圧運転モードでは排気ファンを作動させて作業空間の空気を洗浄パスボックスの排気口から外部へ排気することを特徴とする請求項２〜５の何れかに記載の洗浄パスボックス付きクリーンベンチ装置。
【請求項７】
前記洗浄パスボックスは、洗浄対象物をエアで洗浄するエア洗浄モードと、洗浄対象物を洗浄液で洗浄する洗浄液洗浄モードとに択一的に切換える洗浄モード切換え手段を備えたことを特徴とする請求項１〜６の何れかに記載の洗浄パスボックス付きクリーンベンチ装置。
【請求項８】
前記洗浄モード切換え手段は、洗浄対象物の種類に関する情報に基づいて自動的に洗浄モードを切換えることを特徴とする請求項７に記載の洗浄パスボックス付きクリーンベンチ装置。
【請求項９】
作業テーブルと、その上側の作業空間を覆うケースと、このケースに形成された作業用開口と、この作業用開口を開閉可能な開閉体と、作業空間の空気を換気する換気手段と、この換気手段で換気される空気を清浄化するフィルタ手段とを備えたクリーンベンチにおいて、
前記換気手段を介して、作業空間の雰囲気圧を陽圧にして運転する陽圧運転モードと、作業空間の雰囲気圧を常圧にして運転する常圧運転モードと、作業空間の雰囲気圧を陰圧にして運転する陰圧運転モードの何れかに択一的に切換える運転モード切換え手段を設けたことを特徴とするクリーンベンチ。
【請求項１０】
前記運転モード切換え手段は、前記作業空間で取り扱う薬剤や物質の種類に関する情報に基づいて自動的に運転モードを切換える自動モード切換え手段を有することを特徴とする請求項９に記載のクリーンベンチ。
【発明の詳細な説明】
【０００１】
【発明の属する技術分野】本発明は、器具や容器や材料等の洗浄対象物を洗浄空間に搬入して洗浄し、その洗浄対象物を無菌（無塵）状態に維持して作業空間に搬入し取り扱うことができる洗浄パスボックス付きクリーンベンチ装置、作業空間の雰囲気圧を陽圧と常圧と陰圧の何れかに択一的に切換えて運転可能な洗浄パスボックス付きクリーンベンチ装置及びクリーンベンチに関する。
【０００２】
【従来の技術】従来、医療関係分野において、薬局や病棟で注射薬混合調剤等の調剤業務を行う場合、クリーンベンチを設置し、そのクリーンベンチ内の空気が清浄化（無菌化）された作業空間で、洗浄（消毒）済みの器具（例えば、注射器等）や容器（例えば、アンプル、バイアル、輸液バッグ等）や薬剤を取り扱って調剤作業を行うことが望ましい。尚、薬局や病棟に内部の空気が清浄化されたクリーンルームを設け、そのクリーンルーム内でクリーンベンチを使用せずに注射薬混合調剤等の調剤作業を行うようにしたところもある。
【０００３】
クリーンベンチ内の作業空間に搬入する器具や容器等の洗浄対象物については、洗浄パスボックスを用いて洗浄してから、その洗浄対象物を洗浄パスボックスから取出してクリーンベンチまで搬送し作業空間に搬入することになる。但し、前記搬送の際に洗浄済みの洗浄対象物を無菌（無塵）状態に維持するために、クリーンルームを設け、そのクリーンルームの入口に洗浄パスボックスを設置し、クリーンルーム内にクリーンベンチを設置する設備が必要になる。尚、所謂ケミカル・ハザードの虞のない薬剤を取り扱う場合には、クリーンルーム内でクリーンベンチを使用せずに注射薬混合調剤等の調剤作業を行うことが可能である。
【０００４】
一般的なクリーンベンチは、作業テーブル、作業テーブルの上側の作業空間を覆うケース、ケースに形成された作業用開口、作業用開口を開閉するシャッタ、作業空間の空気を換気する換気装置、換気装置で換気される空気を清浄化するフィルタ等を備え、シャッタを開け作業用開口を開放した状態で、作業者が作業用開口から作業空間に手を入れ器具や容器等を取り扱って作業を行えるようになっている（例えば、特許文献１参照）。
【０００５】
この種のクリーンベンチとして、作業空間の雰囲気圧を陽圧にして運転するものと、作業空間の雰囲気圧を陰圧にして運転するものが夫々実用化されており、作業空間で取り扱う薬剤等に応じた運転が可能なクリーンベンチが使用される。特に、作業空間でケミカル・ハザードの虞がある劇薬（例えば、抗癌剤）等を取り扱う場合には、作業空間の空気が作業用開口から外部へ直接流出しないように、作業空間の雰囲気圧を陰圧にして運転するクリーンベンチが使用される。
【０００６】
ところで、作業空間の雰囲気圧を陽圧にして運転する陽圧運転モードと陰圧にして運転する陰圧運転モードの何れかに、オペレータのスイッチ操作により切換え可能なクリーンベンチが公知である（例えば、特許文献２参照）。
このクリーンベンチには、一般的なクリーンベンチと基本的に同じ作業テーブル、ケース、作業用開口、シャッタ、換気装置、フィルタ等が設けられ、換気装置として、電動ファン、吸気口及び排気口、吸気通路を開閉する吸気ダンパ、排気通路を開閉する排気ダンパが設けられ、吸気ダンパの開閉状態と排気ダンパの開閉状態を切換えることにより、運転モードが切換えられる。
【０００７】
一方、パスボックスとして、クリーンルームの入口に設置され、洗浄対象物を収容するケースとケース内に設けられた電動ファン及びフィルタとを備え、フィルタで清浄化された空気を電動ファンでケース内に循環供給するようにしたものが公知である（例えば、特許文献３参照）。
【０００８】
【特許文献１】
特開９−１５５２０９号公報
【特許文献２】
特開２００１−１４１２７３号公報
【特許文献３】
特開２００２−２９１８５０号公報
【０００９】
【発明が解決しようとする課題】特許文献１、２に記載のクリーンベンチを含む従来のクリーンベンチには、器具や容器等の洗浄対象物を洗浄する機能は当然なく、それ故、洗浄対象物を洗浄パスボックスを用いて洗浄してから、その洗浄対象物を洗浄パスボックスから取出してクリーンベンチまで搬送し作業空間に搬入するが、その搬送の際、洗浄済みの洗浄対象物を無菌状態に維持するために、クリーンルームを設け、そのクリーンルームの入口に洗浄パスボックスを設置し、クリーンルーム内にクリーンベンチを設置しなければならない。
【００１０】
つまり、薬局や病棟等においてクリーンルームを設けるための大きなスペースが必要となり、しかも、大掛かりな空気浄化設備を完備する必要があり、また、クリーンルームの壁に専用の入口を形成し、その入口に洗浄パスボックスを設置しなければならないため、設備コストが非常に高価になる。尚、洗浄パスボックスとクリーンベンチ間の距離を小さくするのにも限度があり、洗浄対象物を洗浄パスボックスからクリーンベンチへ搬送する負荷もそれなりに大きくなる。
【００１１】
また、従来のクリーンベンチでは、作業空間の雰囲気圧を陽圧にして運転するものと、作業空間の雰囲気圧を陰圧にして運転するものが夫々実用化されているが、個々のクリーンベンチでは作業空間の雰囲気圧を陽圧又は陰圧の何れか一方だけでしか運転できないため、陽圧と陰圧の両方の運転が必要な場合には、２種類のクリーンベンチが必要となり、また、これら２台のクリーンベンチの設置スペースを確保する必要もあり、結局、設備コストが高価になる。
【００１２】
特許文献２のように、作業空間の雰囲気圧を陽圧にして運転する陽圧運転モードと陰圧にして運転する陰圧運転モードの何れかに切換え可能なクリーンベンチが公知であるが、この運転モードの切換えはオペレータのスイッチ操作により行われるものである。それ故、スイッチ操作を誤って予定外の運転モードで作動させて調剤作業を行ってしまう虞がある。特に、劇薬等を取り扱う場合に、陽圧運転モードで作動させて調剤作業を行ってしまうと、作業空間の空気が作業用開口から外部へ直接流出して、ケミカル・ハザードの問題が生じかねない。
【００１３】
また、このクリーンベンチでは、作業空間の雰囲気圧を常圧にして運転するモードには切換えできるようになっていないため、作業空間で取り扱う薬剤等に応じて最適な運転モードを設定できない虞があり、その点汎用性に劣る。
特許文献３のようなパスボックスでは、１つの電動ファンしか設けていないので空気の換気性能を高めるのに限界がある。吸気専用の電動ファンと排気専用の電動ファンを設けることが考えられるが、クリーンベンチにも吸気専用の電動ファンと排気専用の電動ファンを設けると、全体的にアクチュエータの数が多くなり大型化し設備コスト的に不利になる。
【００１４】
本発明の目的は、クリーンルームを設けなくても、器具や容器や材料等の洗浄対象物を洗浄した後、その洗浄対象物を無菌状態に維持してクリーンベンチ内の作業空間に簡単且つ確実に搬入可能にすること、クリーンベンチの運転モードを陽圧又は常圧又は陰圧運転モードの何れかに択一的に切換え可能にし、更に、その切換えを作業空間で取り扱う薬剤や物質の種類に関する情報に基づいて自動的に行うようにすること、等である。
【００１５】
【課題を解決するための手段】請求項１の洗浄パスボックス付きクリーンベンチ装置は、作業テーブルと、その上側の作業空間を覆うケースと、このケースに形成された作業用開口と、この作業用開口を開閉可能な開閉体と、作業空間の空気を換気する換気手段と、この換気手段で換気される空気を清浄化するフィルタ手段とを備えたクリーンベンチであって、器具や容器や材料等の洗浄対象物を収容する洗浄空間を有し洗浄対象物を空気又は洗浄液にて洗浄する洗浄手段を備えた洗浄パスボックスをクリーンベンチに隣接させて一体的に並設し、前記洗浄パスボックスとクリーンベンチとの間を仕切る仕切壁と、洗浄空間と作業空間とに臨むように仕切壁に形成された搬入用開口と、この搬入用開口を開閉可能な開閉扉とを備え、前記開閉扉を開き搬入用開口を開放した状態で、前記洗浄空間内で洗浄された洗浄対象物を搬入用開口からクリーンベンチ内の作業空間に搬入可能に構成したことを特徴とするものである。
【００１６】
この洗浄パスボックス付きクリーンベンチ装置は、洗浄パスボックスをクリーンベンチに隣接させて一体的に並設して構成されている。洗浄パスボックスにおいては、器具や容器や材料等の洗浄対象物を洗浄空間に収容し、その洗浄対象物が洗浄手段により空気又は洗浄液にて洗浄される。洗浄パスボックスとクリーンベンチとの間を仕切る仕切壁に、洗浄空間とクリーンベンチ内の作業空間とに臨むように搬入用開口が形成されている。この搬入用開口は開閉扉により開閉され、この開閉扉を閉じて洗浄空間内で洗浄対象物を洗浄する。
【００１７】
開閉扉を開き搬入用開口を開放した状態で、洗浄空間内で洗浄された洗浄対象物を、無菌（無塵）状態に維持して搬入用開口からクリーンベンチ内の作業空間に搬入することができる。
クリーンベンチにおいては、開閉扉を閉じた状態にして、換気手段により作業空間の空気が換気され、この換気手段で換気される空気がフィルタ手段により清浄化され、作業空間が無菌（無塵）状態に維持される。そして、開閉体を開き作業用開口を開放した状態にして、作業者がその作業用開口から作業空間内に手を入れ、作業空間に搬入された器具や容器や材料等を取り扱って、調剤作業等の作業を行うことができる。
【００１８】
上記請求項１の構成に加えて、次のような構成を採用してもよい。
前記換気手段を介して、前記作業空間の雰囲気圧を陽圧にして運転する陽圧運転モードと、作業空間の雰囲気圧を常圧にして運転する常圧運転モードと、作業空間の雰囲気圧を陰圧にして運転する陰圧運転モードの何れかに択一的に切換える運転モード切換え手段を設ける（請求項２）。作業空間で取り扱う薬剤や物質の種類に応じて最適な運転モードで運転させることができ、特に、ケミカル・ハザードの虞がある劇薬（例えば、抗癌剤）等を作業空間で取り扱う場合には、陰圧運転モードで運転させることにより、作業空間の雰囲気圧が陰圧になるため、作業空間の空気が開放した作業用開口から外部へ直接流出しなくなる。
【００１９】
前記換気手段は、電動ファンと、吸気口及び排気口と、吸気通路を開閉可能な第１ダンパと、排気通路を開閉可能な第２ダンパとを備え、前記運転モード切換え手段は、陽圧運転モードでは第１ダンパを開き第２ダンパを閉じた状態で電動ファンを作動させて作業空間を陽圧にし、常圧運転モードでは第１，第２ダンパを閉じた状態で電動ファンを作動させて作業空間を常圧にし、陰圧運転モードでは第１ダンパを閉じ第２ダンパを開けた状態で電動ファンを作動させて作業空間を陰圧にする（請求項３）。
【００２０】
第１ダンパの開閉状態と第２ダンパの開閉状態を切換えることにより、陽圧運転モード、常圧運転モード、陰圧運転モードの何れかに切換えることができる。運転モード切換え手段は、第１，第２ダンパを夫々開閉駆動するアクチュエータ、これらアクチュエータを夫々駆動制御する駆動制御手段を備えることが好ましく、これにより、運転モードを迅速に確実に切換えることが可能になる。
【００２１】
前記運転モード切換え手段は、前記作業空間で取り扱う薬剤や物質の種類に関する情報に基づいて自動的に運転モードを切換える自動モード切換え手段を有する（請求項４）。作業空間で取り扱う薬剤や物質の種類に応じて最適な運転モードに間違いなく確実に切換えることができ、特に、作業空間で劇薬等を取り扱う場合には陰圧運転モードに切換えて、ケミカル・ハザードに確実に対処できる。
【００２２】
前記作業空間で取り扱う薬剤や物質の種類に関する情報については、処方箋等に記録された薬剤や物質の情報を入力手段で入力した薬剤データや物質データを用いてもよいし、処方箋等に設けたバーコードやＩＣチップ等から薬剤データや物質データを読取り手段で読取って用いてもよいし、処方箋等を発行するためにパーソナルコンピュータ等に予め入力され記録されている薬剤データや物質データを通信手段を介して読込んで用いてもよい。
【００２３】
前記運転モード切換え手段は、オペレータの手動操作により運転モードを切換える手動モード切換え手段を有する（請求項５）。オペレータが作業空間で取り扱う薬剤や物質の種類に応じて最適な運転モードに切換えることができる。作業空間で取り扱う薬剤や物質の種類によっては、運転モードの切換えを効果的に行うことができ、また、自動モード切換え手段では対応できない薬剤（新薬等）や物質を作業空間で取り扱う場合にも対応できるようになる。
【００２４】
前記洗浄パスボックスは、吸気口及び排気口と、吸気口から前記洗浄空間内に空気を導入する吸気ファンと、排気口から前記洗浄空間内の空気を排気する排気ファンとを備え、前記換気手段の排気口と洗浄パスボックスの排気口とを連通させる排気連通口を設け、陰圧運転モードでは排気ファンを作動させて作業空間の空気を洗浄パスボックスの排気口から外部へ排気する（請求項６）。
【００２５】
洗浄パスボックスの排気ファンが作動すると、クリーンベンチ内の作業空間の空気が、クリーンベンチの排気口から排気連通口を通って洗浄パスボックスの排気口へと流れ、その洗浄パスボックスの排気口から外部へ排気される。洗浄パスボックスでは空気の換気性能を高めることができるうえ、陰圧運転モードでは洗浄パスボックスの排気ファンが有効に活用されて、クリーンベンチ内の作業空間の雰囲気圧を確実に陰圧にすることができる。
【００２６】
前記洗浄パスボックスは、洗浄対象物をエアで洗浄するエア洗浄モードと、洗浄対象物を洗浄液で洗浄する洗浄液洗浄モードとに択一的に切換える洗浄モード切換え手段を備えた（請求項７）。洗浄対象物の種類に応じて、洗浄対象物（例えば、薬剤が収容されているアンプル等の容器）をエアで洗浄したり、洗浄対象物（例えば、作業空間でアンプル等に収容されている薬剤を注入する注射器等の器具）を洗浄液で洗浄したりすることができる。
【００２７】
前記洗浄モード切換え手段は、洗浄対象物の種類に関する情報に基づいて自動的に洗浄モードを切換える（請求項８）。洗浄対象物の種類に適した洗浄モードに間違いなく確実に切換えることができる。前記洗浄対象物の種類に関する情報については、請求項４において例示した薬剤データや物質データに付随させた洗浄対象物データを用いてもよい。
【００２８】
請求項９のクリーンベンチは、作業テーブルと、その上側の作業空間を覆うケースと、このケースに形成された作業用開口と、この作業用開口を開閉可能な開閉体と、作業空間の空気を換気する換気手段と、この換気手段で換気される空気を清浄化するフィルタ手段とを備えたクリーンベンチにおいて、前記換気手段を介して、作業空間の雰囲気圧を陽圧にして運転する陽圧運転モードと、作業空間の雰囲気圧を常圧にして運転する常圧運転モードと、作業空間の雰囲気圧を陰圧にして運転する陰圧運転モードの何れかに択一的に切換える運転モード切換え手段を設けたことを特徴とするものである。
【００２９】
このクリーンベンチでは、作業空間で取り扱う薬剤や物質の種類に応じて最適な運転モードで運転させることができ、特に、ケミカル・ハザードの虞がある劇薬（抗癌剤等）を作業空間で取り扱う場合には、陰圧運転モードで運転させることにより、作業空間の雰囲気圧が陰圧になるため、作業空間の空気が開放した作業用開口から外部へ直接流出しなくなる。
【００３０】
ここで、上記請求項９の構成に加えて次のような構成を採用してもよい。
前記運転モード切換え手段は、前記作業空間で取り扱う薬剤や物質の種類に関する情報に基づいて自動的に運転モードを切換える自動モード切換え手段を有する（請求項１０）。作業空間で取り扱う薬剤や物質の種類に応じて最適な運転モードに間違いなく確実に切換えることができ、特に、作業空間で劇薬を取り扱う場合には陰圧運転モードに切換えて、ケミカル・ハザードに確実に対処できる。前記作業空間で取り扱う薬剤や物質の種類に関する情報については、請求項４において例示した薬剤データや物質データを用いてもよい。
【００３１】
【発明の実施の形態】以下、本発明の実施の形態について図面を参照しながら説明する。本実施形態の洗浄パスボックス付きクリーンベンチ装置は、薬局や病棟に設置されて、器具（例えば、注射器）や容器（例えば、アンプル、バイアル、輸液バッグ）等の洗浄対象物を洗浄空間で洗浄し、その洗浄対象物を無菌（無塵）状態に維持して作業空間に搬入して調剤作業等を行えるものである。
【００３２】
図１〜図３に示すように、洗浄パスボックス付きクリーンベンチ装置１（以下、クリーンベンチ装置１という）は、洗浄パスボックス２とクリーンベンチ３とを備え、この洗浄パスボックス２をクリーンベンチ３に隣接させて一体的に並設して構成されている。このクリーンベンチ装置１の下端部には少なくとも４つのキャスター４が装着され、床面上においてクリーンベンチ装置１を自由に移動させることができる。また、クリーンベンチ装置１を所定の設置場所に位置決めした後には、複数のストッパ５でクリーンベンチ装置１の位置を固定できる。
【００３３】
洗浄パスボックス２について説明する。
図１〜図３に示すように、洗浄パスボックス２は、洗浄ケース１０と、器具や容器等の洗浄対象物を収容する洗浄空間１１と、洗浄空間１１に収容された洗浄対象物を乾燥用のエア又は洗浄液（例えば、Ｔ−５１消毒液（０．０２％に希釈した希釈液）や消毒用エタノール等）にて洗浄する洗浄装置１２（図７参照）と、洗浄空間１１の空気を換気する換気装置１３を備え、洗浄ケース１０の内部に、洗浄空間１１、洗浄装置１２、換気装置１３が設けられている。
【００３４】
洗浄ケース１０は、外形が平面視にて略正方形で正面視にて縦長矩形の箱状に形成され、その内部には上下方向中段位置に洗浄テーブル１４が固定されている。洗浄ケース１０の内部において、洗浄テーブル１４よりも上側の空間のうちの下半部が洗浄空間１１に形成され上半部に換気装置１３が装備されている。
洗浄ケース１０の前壁１５には、洗浄空間１１に臨むように矩形の外部搬入開口１６が形成され、外側から操作してこの外部搬入開口１６を開閉する外部開閉扉１７が、鉛直軸心回りに回動可能にヒンジにより前壁１５に装着されている。
【００３５】
外部開閉扉１７には矩形窓１７ａが形成され、その窓１７ａに強化ガラス等からなる透明板１７ｂが装着されている。また、外部開閉扉１７には開閉操作用のノブ１７ｃが取り付けられ、外部開閉扉１７を閉じた状態で、開閉操作ノブ１７ｃを回動操作して外部開閉扉１７をロック／ロック解除することができる。尚、外部開閉扉１７を閉じた状態で、外部搬入開口１６の周囲において前壁１５と外部開閉扉１７との間はシール部材でシールされる。
【００３６】
外部開閉扉１７を開け外部搬入開口１６を開放した状態で、その外部搬入開口１６から洗浄対象物のみを、或いは、洗浄対象物を網状のバケットに収容しそのバケットと共に洗浄空間１１に搬入し、洗浄テーブル１４上に載置して、洗浄装置１２で洗浄可能にセットすることができる。
【００３７】
洗浄装置１２は、エア洗浄器と洗浄液洗浄器（図示略）とを備え、エア洗浄器を作動させて洗浄対象物をエアで洗浄するエア洗浄モードと、洗浄液洗浄器を作動させて洗浄対象物を洗浄液で洗浄する洗浄液洗浄モードとに択一的に切換え可能であり、その洗浄モードの切換えをオペレータの手動操作で行うことができる。尚、洗浄空間１１に殺菌灯を設けてもよい。
【００３８】
エア洗浄器は、例えば、洗浄空間１１に収容された洗浄対象物にエアを吹き付けるエアノズルと、このエアノズルから清浄化されたエアを噴射可能にエアノズルにエアを加圧して供給するエア供給機構等を備えたものである。尚、エア洗浄器として、前記エアノズルやエア供給機構等を適用せずに、換気装置１３を適用してもよい。
【００３９】
洗浄液洗浄器は、例えば、洗浄空間１１に収容された洗浄対象物に洗浄液を噴射或いは噴霧する洗浄液ノズルと、この洗浄液ノズルから洗浄液を噴射或いは噴霧可能に洗浄液ノズルに洗浄液を加圧して供給するポンプを有する洗浄液供給機構等を備えたものである。この洗浄液は洗浄テーブル１４の下側に設けた洗浄液タンク１８に収容されているものが使用され、噴射或いは噴霧された大部分の洗浄液はフィルタにより浄化されて洗浄液タンク１８に回収され再利用される。こうして洗浄液は循環的に使用されるが、この洗浄液が減ってきた場合には、外部から洗浄液タンク１８に洗浄液を補給することができる。洗浄液タンク１８には、内部の洗浄液の量を確認するレベルゲージが設けられている。尚、洗浄液タンク１８内の洗浄液の量を検出するフロートを含むレベルセンサを設けてもよい。
【００４０】
換気装置１３は、吸気口２０及び排気口２１、吸気口２０から洗浄空間１１に通じる吸気通路２２、洗浄空間１１から排気口２１に通じる排気通路２３、吸気口２０から洗浄空間１１内に空気を導入する吸気ファン２４、吸気通路２２に設けられて洗浄空間１１内に導入される空気を清浄化する吸気フィルタ２５、洗浄空間１１内の空気を排気口２１から排気する排気ファン２６、排気通路２３に設けられて洗浄空間１１内から排気される空気を清浄化する排気フィルタ２７を備えている。排気口２１には排気ダクト２８が接続され、排気口２１から排気される空気は排気ダクト２８により外部へ排出されて処理される。
【００４１】
排気口２１、排気通路２３、排気ファン２６、排気フィルタ２７等は、洗浄ケース２０内においてクリーンベンチ３側（右側）に配置され、また、排気通路２３を開閉する第３ダンパ５０が設けられ、この第３ダンパ５０を開閉駆動する第３アクチュエータ５１（図７参照）も設けられている。こうして、この排気口２１、排気通路２３、排気ファン２６、排気フィルタ２７等が、クリーンベンチ３内の作業空間３２の空気を排気する際に利用される。尚、排気口２１、排気通路２３、排気ファン２６、第３ダンパ５０は、後述のクリーンベンチ３の換気装置３５にも含まれるものである。
【００４２】
洗浄パスボックス２の表面部には、外部搬入開口１６の上側に、液晶ディスプレイ７０、洗浄開始スイッチ７１、緊急停止スイッチ７２が設けられている。液晶ディスプレイ７０には、後述の洗浄パスボックス３の運転モード等が表示されてモード確認を行うことができる。洗浄開始スイッチ７１を操作することで洗浄パスボックス２を作動させて洗浄を開始させることができ、緊急停止スイッチ７２を操作することで洗浄パスボックス２の作動を緊急停止させることができる。尚、洗浄開始スイッチ７１の操作を介してエア洗浄モードと洗浄液洗浄モードとに択一的に切換えてもよいし、別途、洗浄モード切換スイッチを設けてもよい。また、洗浄開始スイッチ７１を操作して洗浄を開始させた場合、予め設定した時間が経過すると、自動的に洗浄を停止させるように構成してもよい。
【００４３】
次に、クリーンベンチ３について説明する。
クリーンベンチ３は、作業テーブル３０、作業テーブル３０の上側の作業空間３１を覆うケース３２、ケース３２に形成された作業用開口３３、作業用開口３３を開閉可能な開閉体であるシャッタ３４、作業空間３１の空気を換気する換気装置３５、換気装置３５で換気される空気を清浄化する循環フィルタ３６と排気フィルタ３７（フィルタ手段に相当する）を備えている。
【００４４】
ケース３２は、洗浄パスボックス２の洗浄ケース１０と同じ高さ、同じ前後長、約３／２の左右長を有する箱状に形成されている。ケース３２の内部には上下方向中段の洗浄テーブル１４と同じ高さ位置に作業テーブル３０が固定され、ケース３２の内部において作業テーブル３０の上側大部分が作業空間３１に形成されている。ここで、洗浄ケース１０の右側壁とケース３２の左側壁は共通の壁となる仕切壁３８で構成され、この仕切壁３８により、洗浄空間１１と作業空間３１の間が仕切られている。
【００４５】
作業用開口３３は、ケース３２の前壁に矩形状に大きく形成され、シャッタ３４は、矩形形状の強化ガラス等からなる透明板で構成されている。シャッタ３４は、その左右両縁部がケース３２に形成された上下方向に長い左右１対の溝に係合されて、上下にスライドして作業用開口３３を開閉する。尚、シャッタ３４はバランサウエイトが連結され、任意の上下方向位置で保持され得るように構成されている。また、シャッタ３４の下端前面には、シャッタ３４をスライド操作するために把持する把持部３４ａが取り付けられている。作業空間３１には殺菌灯１９ａ及び蛍光灯１９ｂが設けられ、電源投入状態において、クリーンベンチ３の運転停止中は殺菌灯１９ａを点灯させて蛍光灯１９ｂを消灯せ、クリーンベンチ３の運転中は殺菌灯１９ａを消灯させて蛍光灯１９ｂを点灯させる。
【００４６】
換気装置３５は、電動ファン４０、吸気口４１及び排気口４２、吸気通路４３を開閉可能な第１ダンパ４４、排気通路４５を開閉可能な第２ダンパ４６、排気口２１、排気通路２３、排気ファン２６を備え、また、第１ダンパ４４を開閉駆動する第１アクチュエータ４７、第２ダンパ４６を開閉駆動する第２アクチュエータ４８、第３ダンパ５０を開閉駆動する第３アクチュエータ５１（図７参照）も設けられている。尚、第１〜第３アクチュエータ４７，４８，５１は夫々ＡＣモータからなり、ダンパ４４，４６，５１を夫々回動させて開閉する。
【００４７】
電動ファン４０は、ケース３２内において作業テーブル３０の下側の後側部分に配置され、吸気口４１は、ケース３２の底壁の前端部分に形成されてフィルタが設けられ、この吸気口４１から電動ファン４０に通じる通路が吸気通路４３になっている。ケース３２内において作業テーブル３０の上側に、ケース３２の後壁と接近対向する仕切板３９が配設され、この仕切板３９の前側に作業空間３１が形成されている。
【００４８】
電動ファン４０に吸い込まれた空気は、仕切板３９とケース３２の後壁との間を通って上側へ吹き上げられて作業空間３１の上側へと流れ、そこから作業空間３１内に入り込んで下方へ流れ、作業テーブル３０又はその近傍に形成された隙間を通って作業テーブル３０の下側へ流出して、再び電動ファン４０に吸い込まれ、このような循環経路４９で空気が循環する。尚、この空気流の一部により作業空間３１においては、作業用開口３３に沿ってエアカーテンが形成される。
【００４９】
循環フィルタ３６は、循環経路４９上の作業空間３１の直ぐ上側に設けられている。排気口４２は、ケース３２の左側壁つまり仕切壁３８の上端部分に形成され、作業空間３１の上側において循環経路４９から分岐して排気口４２に通じる通路が排気通路４５になっている。この排気通路４５に排気フィルタ３７が設けられている。仕切壁３８には、排気口４２と洗浄パスボックス２の排気口２８とを連通させる排気連通口５５が形成されている。
【００５０】
このクリーンベンチ３においては、以上説明した排気装置３５を介して、作業空間３１の雰囲気圧を陽圧にして運転する陽圧運転モードと、作業空間３１の雰囲気圧を常圧にして運転する常圧運転モードと、作業空間３１の雰囲気圧を陰圧にして運転する陰圧運転モードの何れかに択一的に切換え可能であり、その運転モードの切換えは、オペレータの手動操作により、或いは、作業空間３１で取り扱う薬剤や物質の種類に関する情報に基づいて自動的に行われる。
【００５１】
陽圧運転モード、常圧運転モード、陰圧運転モードについて詳しく説明する。図４（ａ）（ｂ）に示すように、陽圧運転モードでは、第１ダンパ４４を開き第２ダンパ４６を閉じた状態で電動ファン４０を作動させて作業空間３１を陽圧にする。クリーンベンチ３内に吸気口４１から空気が入り込み、クリーンベンチ３内の空気は排気口４２から外部へ排気されないため、作業空間３１が外気圧に対して陽圧になって、クリーンベンチ３内の空気が循環経路４９を循環し、作業用開口３３から外部の空気が作業空間３１内に入り込むことはない。
【００５２】
図５（ａ）（ｂ）に示すように、常圧運転モードでは、第１，第２ダンパ４４，４６を閉じた状態で電動ファン４０を作動させて作業空間３１を常圧にする。クリーンベンチ３内に吸気口４１から空気が入り込まず、クリーンベンチ３内の空気は排気口４２から外部へ排気されないため、作業空間３１が外気圧と同じ常圧になって、クリーンベンチ３内の空気が循環経路４９を循環し、作業用開口３３から外部の空気が作業空間３１内に殆ど入り込まないし、作業空間３１内の空気が作業用開口３３から外部へ殆ど流出しなくなる。
【００５３】
図６（ａ）（ｂ）に示すように、陰圧運転モードでは、第１ダンパ４４を閉じ第２ダンパ４６を開け第３ダンパ５０を閉じた状態で電動ファン４０と排気ファン２６を作動させて作業空間３１を陰圧にする。クリーンベンチ３内に吸気口４１から空気が入り込まず、クリーンベンチ３内の空気は排気口４２から排気連通口５５を通り洗浄パスボックス２の排気口２１から外部へ排気される。第３ダンパ５０を閉じた状態で排気ファン２６を作動させるため、洗浄空間１１の空気が排気口２１から外部へ排気されることはなく、クリーンベンチ３内の空気が排気口２１から確実に排気され、それ故、作業空間３１が外気圧に対して陰圧になり、クリーンベンチ３内の空気は循環経路４９を循環し、作業空間３１内の空気が作業用開口３３から外部へ流出しなくなる。
【００５４】
クリーンベンチ３の表面部には、作業用開口３３の下側に操作パネル６１が設けられ、その操作パネル６１には、電源スイッチ７５、運転開始スイッチ７６、運転停止スイッチ７７、点灯／消灯切換スイッチ７８、洗浄モード切換えスイッチ６６、手動自動切換えスイッチ６７、運転モード切換えスイッチ６８が設けられている。電源スイッチ７５を操作することにより、クリーンベンチ３（及び洗浄パスボックス２）の電源をＯＮ／ＯＦＦすることができ、運転開始スイッチ７６を操作することでクリーンベンチ３の運転を開始させ、運転停止スイッチ７７を操作することでクリーンベンチ３の運転を停止させることができる。
【００５５】
点灯／消灯切換スイッチ７８をワンタッチ的に操作することにより、殺菌灯１９ａと蛍光灯１９ｂの点灯／消灯が互い違いになるように、つまり、殺菌灯１９ａが点灯し且つ蛍光灯１９ｂが消灯した状態と、殺菌灯１９ａが消灯し且つ蛍光灯１９ｂが点灯した状態とに択一的に自動的に切換えることができる。これにより、クリーンベンチ３の未使用時において、バクテリア等の増殖を極力防止して常時殺菌でき、クリーンベンチ３の使用時には作業空間３１を非常にクリーンな状態から運転を開始させことができる。尚、洗浄パスボックス２の電源をＯＮ／ＯＦＦする電源スイッチを別途設けてもよい。
【００５６】
ところで、このクリーンベンチ装置１には、前記仕切壁３８に洗浄空間１１と作業空間３１とに臨むように形成された搬入用開口５７と、作業空間３１側（及び／又は洗浄空間１１側）から操作して搬入用開口５７を開閉可能な開閉扉５８とが設けられ、開閉扉５８を開き搬入用開口５７を開放した状態で、洗浄空間１１内で洗浄された洗浄対象物を搬入用開口５７からクリーンベンチ３内の作業空間３１に搬入可能に構成されている。
【００５７】
開閉扉５８は、鉛直軸心回りに回動可能に且つ作業空間３１側へ開動作可能にヒンジにより仕切壁３８に装着されている。開閉扉５８には矩形窓５８ａが形成され、その窓５８ａに強化ガラス等からなる透明板５８ｂが装着されている。また、開閉扉５８には開閉操作用のノブ５８ｃが取り付けられ、開閉扉５８を閉じた状態で、開閉操作ノブ５８ｃを回動操作して開閉扉５８をロック／ロック解除することができる。尚、開閉扉５８を閉じた状態で、搬入用開口５７の周囲において前壁３８と開閉扉５８との間がシール部材でシールされる。
【００５８】
ここで、作業テーブル３０は、作業テーブル基台の上側に配設された、テーブル本体部と、テーブル本体部の前側に配置され前吸気口が形成された前吸気口形成テーブル部、テーブル本体部の後側に配置され後吸気口が形成された後吸気口形成テーブル部を有し、作業空間３１内の空気は前吸気口と後吸気口を通って作業テーブル３０の下側へ流出する。
【００５９】
そして、クリーンベンチ３が陰圧運転モードで運転しているとき、シャッタ３４を開けたその開口から流入する空気がほぼ全て前吸気口から吸引され、その空気が作業空間３１で取り扱う物に直接触れないようにして浄化されるように、換気装置３５等が構成されている。つまり、クリーンベンチ３を陰圧運転モードで運転した場合でも、作業テーブル３０の内部の空気清浄度（無菌状態）を高く維持することが可能になる。
【００６０】
作業テーブル３１は、作業テーブル基台から取り外し可能に構成され、これにより、薬剤容器（アンプルやバイアル）が破損した場合等、薬剤等が作業テーブル３０と作業テーブル基台との間に入り込んでも、作業テーブル３１を取り外すことにより、その清掃を容易に行うことができ清潔さを維持できる。作業テーブル３１の前吸気口形成テーブル部には、非使用位置とその非使用位置から上側に突出した使用位置とに亙って姿勢を切換え可能な把手が設けられ、その把手を使用位置に切り換えて把持し上側へ引っ張ることにより、前吸気口形成テーブル部を作業テーブル基台から容易に取り外すことができる。こうして、前吸気口形成テーブル部を取り外し、その後、テーブル本体部、後吸気口形成部材をこの順で容易に取り外しできるように構成してある。
【００６１】
このクリーンベンチ３において、作業テーブル３２の下側にはケース３２で囲まれた収容スペース３２ａが設けられ、この収容スペース３２ａの前側を開閉する収容スペース開閉扉がケース３２にヒンジ結合されて設けられている。この収容スペース３２ａに各種収容対象物を収容する引き出し又は棚を設けてもよいし、収容スペース３２ａに排気物回収部（ダストボックス）を設けてもよい。また、作業テーブル３１に、作業空間３１と収容スペース３２ａと連通させるテーブル開口を設け、そのテーブル開口を開閉するテーブル開閉扉を設けてもよい。こうして、作業時に発生する使用済みの容器（アンプルなど）の産業廃棄物を安全に収容スペース３２ａに入れ込み、そこでダストボックスや袋に密封することにより、作業者がその産業廃棄物に触れることなく処理でき、結局、産業廃棄物を安全に廃棄することが可能になる。
【００６２】
次に、クリーンベンチ装置１の制御装置６０について説明する。
図７に示すように、クリーンベンチ装置１の制御装置６０に制御ユニット６２が設けられ、制御ユニット６２に、操作パネル６１、洗浄開始スイッチ７１、緊急停止スイッチ７２、バーコード読取り装置６５が電気的に接続され、制御ユニット６２は、駆動ユニット６３を介して、洗浄装置１２、吸気ファン２４、排気ファン２６、電動ファン４０、液晶ディスプレイ７０、第１，第２，第３アクチュエータアクチュエータ４７，４８，５１、殺菌灯１９ａ、蛍光灯１９ｂを駆動制御する。
【００６３】
また、制御ユニット６２にはＰ／Ｃ６４（パーソナルコンピュータ）が電気的に接続可能であり、このＰ／Ｃ６４は、ＬＡＮ、ＷＡＮ、インターネット等の通信手段を介して、関連する他のＰ／Ｃ等の機器に接続可能である。
【００６４】
操作パネル６１には、前述のように、洗浄モード切換えスイッチ６６と、手動自動切換えスイッチ６７と、運転モード切換えスイッチ６８が設けられている。洗浄モード切換えスイッチ６６を操作することにより、洗浄パスボックス２において、洗浄モードをエア洗浄モードと洗浄液洗浄モードの何れかに択一的に切換えることが可能になる。
【００６５】
手動自動切換えスイッチ６７を操作することにより、クリーンベンチ３において、手動モード切換え状態と自動モード切換え状態の何れかに切換えことが可能になる。尚、この状態の切換えをＰ／Ｃ６４において行えるようにしてもよい。手動モード切換え状態に切換えられた場合にのみ、運転モード切換えスイッチ６８の操作が有効となり、この運転モード切換えスイッチ６８を操作することにより、クリーンベンチ３において、運転モードを陽圧運転モードと常圧運転モードと陰圧運転モードの何れかに択一的に切換えることが可能になる。
【００６６】
バーコード読取り装置６５では処方箋に印されたバーコードを読取ることができる。処方箋に印されたバーコードには、その処方箋に基づいて調剤を行う際に作業空間３１で取り扱う薬剤や物質の種類に関する情報が記録されており、読取られた薬剤や物質の種類に関する情報は制御ユニット６２に出力される。自動モード切換え状態に切換えられている場合、制御ユニット６２が読み込んだ薬剤や物質の種類に関する情報に基づいて自動的に運転モードが切換えられる。尚、薬剤や物質の種類に関する情報については後で詳述する。
【００６７】
さて、制御ユニット６２にはＣＰＵとＲＯＭとＲＡＭを有するコンピュータが設けられており、そのＲＯＭに、洗浄パスボックス２における洗浄モードの切換えを実行する為の洗浄モード切換制御プログラム、クリーンベンチ３における運転モード切換え状態の切換えを実行する為の手動自動切換え制御プログラム及び運転モードの切換えを実行する為の運転モード切換え制御プログラム、設定された洗浄モードで洗浄パスボックス２が作動するように洗浄装置１２を駆動制御し、また、設定された運転モードでクリーンベンチ３が作動するように、吸気ファン２４、排気ファン２６、電動ファン４０、第１，第２，第３ダンパ４７，４８，５０を駆動制御する駆動制御プログラムが格納されている。
【００６８】
ここで、使用している消耗品のうちフィルタ２５，２７，３６，３７、殺菌灯１９ａ、蛍光灯１９ｂの少なくとも１つの使用期間（使用時間）を算出する使用期間算出手段を設け、この使用期間算出手段で算出された消耗品の使用期間が、その消耗品に対して予め設定された交換時期になった場合に、その旨を表示する表示手段を設けてもよい。これにより、消耗品が交換時期であることを作業者に伝えて交換を促し、作業者の安全と薬剤等の清潔さを保つことができる。
【００６９】
前記使用期間算出手段は、制御ユニット６２及びそのＲＯＭに格納された使用期間算出プログラム等で構成され、算出された使用期間とＲＯＭに格納された消耗品の交換時期テーブルとに基づいて、使用している消耗品が交換時期であるか否か判定する。例えば、制御ユニット６２は、洗浄パスボックス２の運転時間、クリーンベンチ３の運転時間、殺菌灯１９ａの点灯時間、蛍光灯１９ｂの点灯時間を累積的に計時し、その時間でもって使用期間を算出する。尚、前記表示手段は、液晶ディスプレイ７０及びその液晶ディスプレイ７０を駆動制御する制御ユニット６２、駆動ユニット６３等で構成されている。
【００７０】
また、洗浄パスボックス２の運転中、洗浄パスボックス２の外部開閉扉１７、搬入用開閉扉５８を開けると、洗浄パスボックス２の運転を停止させる緊急運転停止手段を設け、また、洗浄パスボックス２の外部開閉扉１７、搬入用開閉扉５８を開けた状態では、洗浄開始スイッチ７１が操作されたとしても、洗浄パスボックス２の運転を禁止する運転禁止手段を設けてもよい。前記緊急運転停止手段、運転禁止手段は、制御ユニット６２等で構成され、この場合、開閉扉１７，３８の開閉状態を検出するリミットセンサ等の開閉検出手段が設けられ、その情報に基づいて制御ユニット６２が開閉扉１７，３８の開閉状態を判定する。
【００７１】
次に、クリーンベンチ装置１の制御ユニット６２が実行する、洗浄モード切換制御、手動自動切換え制御、運転モード切換え制御を含む制御について、図８のフローチャートに基づいて説明する。尚、フローチャート中のＳｉ（ｉ＝１、２、３・・・）は各ステップを示す。この制御は、クリーンベンチ装置１の電源投入と共に開始され、電源遮断と共に終了する。
【００７２】
この制御が開始されると、先ず、各種初期設定（Ｓ１）が実行される。この初期設定では、特に、洗浄パスボックス２の洗浄モードとしてエア洗浄モードが設定され、クリーンベンチ３の運転モード切換え状態として手動切換え状態が設定され、クリーンベンチ３を運転するモードとして陽圧運転モードが設定される。電源投入後に各モード変更がなければ、洗浄パスボックス２はエア洗浄モードで運転され、クリーンベンチ３は陽圧運転モードで運転される。
【００７３】
次に、洗浄モード切換えスイッチ６６の操作が有る場合（Ｓ２；Ｙｅｓ  ）、その操作に応じて洗浄パスボックス２の洗浄モードがエア洗浄モードと洗浄液洗浄モードの何れかに択一的に切換えられる（Ｓ３）。このＳ３の後、或いは、洗浄モード切換えスイッチ６６の操作が無い場合（Ｓ２；Ｎｏ）、手動自動切換えスイッチ６７の操作が有るか否か判定される（Ｓ４）。そこで、手動自動切換えスイッチ６７の操作が有る場合（Ｓ４；Ｙｅｓ  ）、その操作に応じてクリーンベンチ３のモード切換え状態が手動モード切換え状態又は自動モード切換え状態に切換えられる（Ｓ５）。
【００７４】
このＳ５の後、又は、手動自動切換えスイッチ６７の操作が無い場合に（Ｓ４；Ｎｏ）、手動モード切換え状態である場合には（Ｓ６；Ｙｅｓ  ）、運転モード切換えスイッチ６８の操作が有るか否か判定される（Ｓ７）。そこで、運転モード切換えスイッチ６８の操作が有る場合（Ｓ７；Ｙｅｓ  ）、その操作に応じてクリーンベンチ３の運転モードが、陽圧運転モードと常圧運転モードと陰圧運転モードの何れかに択一的に切換えられる（Ｓ８）。Ｓ８の後、又は、運転モード切換えスイッチ６８の操作が無い場合（Ｓ７；Ｎｏ）、Ｓ２へリターンする。
【００７５】
一方、手動モード切換え状態でない場合には（Ｓ６；Ｎｏ）、自動モード切換え状態であるか否か判定される（Ｓ９）。そこで、自動モード切換え状態でない場合には（Ｓ９；Ｎｏ）、初期設定やモード切換え等が正常に行われなかったものとして、Ｓ１へリターンし再度各種初期設定が実行される。
【００７６】
自動モード切換え状態である場合（Ｓ９；Ｙｅｓ  ）、バーコード読取り装置６５により読み取られて今回作業空間３１で取り扱う薬剤や物質の種類に関する情報が有るか否か判定され（Ｓ１０）、その情報が有る場合（Ｓ１０；Ｙｅｓ  ）、その薬剤や物質の種類に関する情報に基づいて、クリーンベンチ３の運転モードが、陽圧運転モードと常圧運転モードと陰圧運転モードの何れかに択一的に自動的に切換えられる（Ｓ１１）。
【００７７】
尚、操作パネル６１、制御ユニット６２、駆動ユニット６３が、換気装置３５を介して陽圧運転モードと引圧運転モードと常圧運転モードの何れかに択一的に切換える運転モード切換え手段に相当し、作業空間３１で取り扱う薬剤や物質の種類に関する情報に基づいて自動的に運転モードを切換える自動モード切換え手段と、オペレータの手動操作により運転モードを切換える手動モード切換え手段とを含んでいる。
【００７８】
ここで、作業空間３１で取り扱う薬剤や物質の種類に関する情報、その薬剤や物質の種類に基づいてクリーンベンチ３の運転モードを自動的に切換える為の技術について、一例を示して詳細に説明する。
【００７９】
先ず、図９に示すように、作業空間３１で取り扱う種々の薬剤（や物質）が、グループＡ、グループＢ、グループＣの３種類に予め分類されている。例えば、グループＡの薬剤（や物質）には、極力無菌状態を維持して取り扱う必要がある、体内に直接注入する抗ガン剤以外の種々の薬剤が含まれており、グループＢには、無菌状態を維持して取り扱うことが望ましい、体内に直接注入しない抗ガン剤以外の種々の薬剤が含まれており、グループＣの薬剤や物質には、抗ガン剤を含む劇薬等のケミカル・ハザードの虞がある種々の薬剤が含まれている。
【００８０】
制御ユニット６２のＲＯＭには、バーコード読取り装置６５から入力される薬剤や物質の種類（グループＡかＢかＣ）を判定する判定テーブルが予め格納されており、判定テーブルと入力情報とを照合して、作業空間で取り扱う薬剤や物質のグループを判定する。ところで、作業空間３１で一度に２種類以上の薬剤や物質（例えば、グループＢの薬剤とグループＣの薬剤）を取り扱う場合、グループＡ→Ｂ→Ｃの順で高くなる優位性を持たせ最も高い優位性を持つ薬剤や物質を含むグループを、作業空間３１で取り扱う薬剤や物質のグループとして判定する。
【００８１】
そして、判定されたグールプが、Ａの場合には陽圧運転モードに自動的に切換えられ、Ｂの場合には常圧運転モードに自動的に切換えられ、Ｃの場合には陰圧運転モードに自動的に切換えられるようにしている。
【００８２】
クリーンベンチ装置１の作用・効果について説明する。
このクリーンベンチ装置１によれば、洗浄パスボックス２をクリーンベンチ３に隣接させて一体的に並設し、洗浄パスボックス２とクリーンベンチ３との間を仕切る仕切壁３８に、洗浄パスボックス２内の洗浄空間１１とクリーンベンチ３内の作業空間３１とに臨むように搬入用開口５７を形成したので、この搬入用開口５７を開閉する開閉扉５８を開き搬入用開口５７を開放した状態で、洗浄空間内１１で洗浄された洗浄対象物を、無菌（無塵）状態に維持して搬入用開口５７からクリーンベンチ３内の作業空間３１に簡単且つ確実に搬入できる。
【００８３】
その結果、従来、洗浄済みの洗浄対象物を洗浄パスボックスからクリーンベンチに無菌状態に維持して搬送するために必要とされたクリーンルームが不要となるため、その分、薬局や病棟のスペースを有効に活用でき、設備コストを著しく低減することが可能になる。
【００８４】
換気装置３５を介して、クリーンベンチ３の運転モードを、陽圧運転モードと常圧運転モードと陰圧運転モードの何れかに択一的に切換えることができるので、作業空間３１で取り扱う薬剤や物質の種類に応じて最適な運転モードで運転させることができる。そして、運転モードが異なる複数のクリーンベンチを必要としない分、設備コストを大幅に低減することができる。
【００８５】
換気装置３５は、電動ファン４０と、吸気口４１及び排気口４２と、吸気通路４３を開閉可能な第１ダンパ４４と、排気通路４５を開閉可能な第２ダンパ４６とを備えたので、第１ダンパ４４の開閉状態と第２ダンパ４６の開閉状態を切換えることにより、クリーンベンチ３の運転モードを、陽圧運転モード、常圧運転モード、陰圧運転モードの何れに簡単に切換えることができる。
【００８６】
作業空間３１で取り扱う薬剤や物質の種類に関する情報に基づいて自動的にクリーンベンチ３の運転モードを切換えるので、作業空間３１で取り扱う薬剤や物質の種類に応じて最適な運転モードに間違いなく確実に切換えることができ、特に、作業空間３１で劇薬を取り扱う場合には陰圧運転モードに切換えて、ケミカル・ハザードに確実に対処できる。
【００８７】
オペレータの手動操作によりクリーンベンチ３の運転モードを切換えることもできるので、作業空間３１で取り扱う薬剤や物質の種類によっては、運転モードの切換えを効果的に行うことができ、また、自動切換えでは対応できない薬剤（新薬等）や物質を作業空間で取り扱う場合にも対応できる。
【００８８】
洗浄パスボックス２において、吸気ファン２４と排気ファン２６とを設けたので、空気の換気性能を高めることができるうえ、クリーンベンチ３の陰圧運転モードでは、洗浄パスボックス２の排気ファン２６を作動させてクリーンベンチ３内の作業空間３１の空気を排気連通口５５を介して洗浄パスボックス２の排気口から外部へ排気するので、この洗浄パスボックス２の排気ファン２６を有効に活用し、クリーンベンチ３内の作業空間３１の雰囲気圧を確実に陰圧にすることができ、製作コスト的にも有利になる。
【００８９】
洗浄パスボックス２において、洗浄対象物をエアで洗浄するエア洗浄モードと、洗浄対象物を洗浄液で洗浄する洗浄液洗浄モードとに択一的に切換えできるため、洗浄対象物の種類に応じて、洗浄対象物をエアで洗浄したり、洗浄対象物を洗浄液で洗浄したりすることができる。
【００９０】
次に、前記実施形態を部分的に変更した変更形態について説明する。
１］図１０に示すように、洗浄パスボックス２の側壁に側部開口８１を設け、その側部開口８１を自動的に上下に開閉する側部開閉扉８２を設けてもよい。この場合、側部開閉扉８２を上下駆動する電動モータを有する扉駆動機構を有する。
この場合、次のように種々構成してもよい。
（ａ）洗浄パスボックス２の外側に、側部開口８１から洗浄対象物を洗浄スペース１１内に自動的に搬入するコンベアを設ける。
【００９１】
（ｂ）外部開閉扉１７の開閉動作に連動して側部開口扉８２を開閉させる。これにより、洗浄液の外部への漏れを確実に防ぎ、また、作業者が側部開口扉８２で手を挟めることを防止できる。仮に、側部開口扉８２に物等が挟まった場合には、その抵抗を検出して側部開口扉８２を即時自動的に開けるようにしてもよい。
（ｃ）前記コンベア側に洗浄対象物を検出するセンサを設けて側部開口扉８２を自動的に開き、洗浄パスボックス２内に搬入された洗浄対象物を検出するセンサを設けて側部開閉扉８２を自動的に閉じる。
【００９２】
（ｄ）側部開口８１に通過する物を検出するセンサ（光学センサ等）を設け、側部開口８１に物や人の手がある場合、側部開口８１の閉動作を禁止して、物や人の手が側部開閉扉に挟まることを防止する（安全対策）。
（ｅ）ボタン操作で側部開閉扉８２を開閉するようにしてもよい。
【００９３】
２］搬入用開口５７を自動的に上下に開閉する搬入用開閉扉を設けてもよい。この場合、側部開閉扉８２を上下駆動する電動モータを有する扉駆動機構を有するものとなる。
この場合、次のように種々構成してもよい。
（ａ）洗浄テーブル１４に、洗浄された物を搬入用開口５７から作業スペース３１内に搬入するコンベアを設ける。
（ｂ）クリーンベンチ３内に搬入された物を検出するセンサを設けて搬入用開閉扉を自動的に閉じる。
（ｃ）ボタン操作で搬入用開閉扉を開閉する。
【００９４】
３］作業スペース３１に臨む上壁又は側壁に、輸液ビンや輸液バッグを吊る為の吊具を設けてもよい。これにより、混合注射薬作業終了時の一時整理をその輸液ビンや輸液バッグを吊具で吊るとこにより効率的に行うことができ、作業終了薬品と未作業薬品との区別を明確にすることができる。また、輸液ビンや輸液バッグを吊具で吊った状態で、混合注射薬作業終を行うこともできる。
【００９５】
４］クリーンベンチ装置１の前壁又は側壁にバーコードリーダ（バーコード読取装置６５）をホールドするバーコードリーダホルダを設けてもよい。
５］クリーンベンチ３の作業空間３１の下側において、前壁を後方へ凹ませて、足が邪魔にならないように座った状態で作業を行えるようにしてもよい。
【００９６】
６］洗浄パスボックス２において、洗浄対象物をエアで洗浄するエア洗浄モードと、洗浄対象物を洗浄液で洗浄する洗浄液洗浄モードとに択一的に切換え可能にする場合、洗浄対象物の種類に関する情報に基づいて自動的に洗浄モードを切換えるように構成してもよい。
【００９７】
この場合、例えば、洗浄対象物の種類に関する情報（例えば、注射器、アンプル、バイアル、輸液バッグに区分された種類の情報等）を制御ユニット６２が読み込むことにより、その洗浄対象物の種類に関する情報と、予め設定された洗浄モード選択テーブルとに基づいて、洗浄モードとして、エア洗浄モードと洗浄液洗浄モードの何れかのモードに自動的に切換える。
【００９８】
７］前記実施形態では、洗浄パスボックス２とクリーンベンチ３を左右に隣接させ一体的に並設して、クリーンベンチ装置１を構成したが、洗浄パスボックスとクリーンベンチを前後に隣接させ一体的に並設して、クリーンベンチ装置を構成してもよい。この場合も、洗浄パスボックスとクリーンベンチとの間を仕切る仕切壁が設けられ、洗浄空間と作業空間とに臨むように仕切壁に搬入用開口が形成され、この搬入用開口が開閉扉で開閉可能に構成される。
【００９９】
８］クリーンベンチの運転モードを陽圧運転モードと常圧運転モードと陰圧運転モードの何れかに択一的に切換え可能に構成することは必須ではない。即ち、陽圧モード又は陰圧運転モード又は常圧運転モードのみでしか運転できないクリーンベンチとしてもよい。或いは、陽圧モードと陰圧運転モードと常圧運転モードの中の２つの運転モードで運転可能で、その２つの運転モードの何れかに択一的に切換え可能なクリーンベンチとしてもよい。
【０１００】
９］前記クリーンベンチ装置１において洗浄パスボックス２を省略し、クリーンベンチ３に相当するクリーンベンチのみの構成としてもよい。この場合、搬入用開口とその開閉扉は設けられず、前記クリーンベンチ３の換気装置３５と同様の換気装置は設けられる。但し、洗浄パスボックス２側に設けた、排気口、排気通路、排気ファン、排気フィルタ等がクリーンベンチに設けられる。
【０１０１】
そして、この換気装置を介して、作業空間の雰囲気圧を陽圧にして運転する陽圧運転モードと、作業空間の雰囲気圧を常圧にして運転する常圧運転モードと、作業空間の雰囲気圧を陰圧にして運転する陰圧運転モードの何れかに択一的に切換え可能に構成してもよい。更に、作業空間で取り扱う薬剤や物質の種類に関する情報に基づいて自動的に運転モードを切換えるように構成してもよい。この場合、前記クリーンベンチ装置１のクリーンベンチ３で説明した制御と同様の制御が、この単体のクリーンベンチにおいて行われる。
【０１０２】
１０］クリーンベンチ３の作業空間３１で取り扱う薬剤や物質の種類に関する情報に基づいて自動的に運転モードを切換える場合に次のように構成してもよい。
（１）制御ユニット６４或いはＰ／Ｃ６４において、オーダーデータ（処方データ）を、有線或いは無線にて通信可能な通信手段を介して読み込み、ディスプレイにオーダー選択画面を表示させて、次に行う予定の調剤作業に対するオーダーデータを選択し、そのオーダーデータに基づいて、運転モードが自動的に切換られるように構成する。
【０１０３】
（２）処方箋等に前記バーコードと同じ情報が記録されたＩＣカードや磁気カードやＩＣチップを貼り付け、このＩＣカードや磁気カードやＩＣチップに記録された情報を、専用の読取り装置で読み取って、前記実施形態と同様の制御が行われ、運転モードが自動的に切換られるように構成する。
【０１０４】
尚、本発明は以上説明した実施の形態に限定されるものではなく、当業者であれば、本発明の趣旨を逸脱しない範囲で、前記実施形態に種々の変更を付加して実施することができ、本発明はそれらの変更形態をも包含するものである。
【０１０５】
【発明の効果】請求項１の発明によれば、洗浄パスボックスをクリーンベンチに隣接させて一体的に並設し、洗浄パスボックスとクリーンベンチとの間を仕切る仕切壁に、洗浄空間とクリーンベンチ内の作業空間とに臨むように搬入用開口を形成したので、搬入用開口を開放した状態で、洗浄空間内で洗浄された洗浄対象物を、無菌（無塵）状態に維持して搬入用開口からクリーンベンチ内の作業空間に簡単且つ確実に搬入することができる。その結果、従来、洗浄済みの洗浄対象物を洗浄パスボックスからクリーンベンチに無菌状態に維持して搬送するために必要とされたクリーンルームが不要となるため、その分、薬局や病棟やスペースを有効に活用でき、設備コストを著しく低減することが可能になる。
【０１０６】
請求項２の発明によれば、運転モード切換え手段を設けたことにより、換気手段を介して、陽圧運転モードと常圧運転モードと陰圧運転モードの何れかに択一的に切換えることができるので、作業空間で取り扱う薬剤や物質の種類に応じて最適な運転モードで運転させることができる。
【０１０７】
請求項３の発明によれば、換気手段は、電動ファンと、吸気口及び排気口と、吸気通路を開閉可能な第１ダンパと、排気通路を開閉可能な第２ダンパとを備えたので、第１ダンパの開閉状態と第２ダンパの開閉状態を切換えることにより、陽圧運転モード、常圧運転モード、陰圧運転モードの何れに択一的に簡単に切換えることが可能になる。
【０１０８】
請求項４の発明によれば、自動モード切換え手段が、作業空間で取り扱う薬剤や物質の種類に関する情報に基づいて自動的に運転モードを切換えるので、作業空間で取り扱う薬剤や物質の種類に応じて最適な運転モードに間違いなく確実に切換えることができ、特に、作業空間で劇薬を取り扱う場合には陰圧運転モードに切換えて、ケミカル・ハザードに確実に対処できる。
【０１０９】
請求項５の発明によれば、手動モード切換え手段により、オペレータの手動操作により運転モードを切換えることができるので、作業空間で取り扱う薬剤や物質の種類によっては、運転モードの切換えを効果的に行うことができ、また、自動モード切換え手段では対応できない薬剤（新薬等）や物質を作業空間で取り扱う場合にも対応できるようになる。
【０１１０】
請求項６の発明によれば、洗浄パスボックスにおいて、吸気ファンと排気ファンとを設けたので、空気の換気性能を高めることができるうえ、陰圧運転モードでは洗浄パスボックスの排気ファンを作動させてクリーンベンチ内の作業空間の空気を洗浄パスボックスの排気口から外部へ排気するので、この洗浄パスボックスの排気ファンを有効に活用し、クリーンベンチ内の作業空間の雰囲気圧を確実に陰圧にすることができ、製作コスト的にも有利になる。
【０１１１】
請求項７の発明によれば、洗浄パスボックスに洗浄モード切換え手段を設けたので、洗浄対象物をエアで洗浄するエア洗浄モードと、洗浄対象物を洗浄液で洗浄する洗浄液洗浄モードとに択一的に切換え可能になるので、洗浄対象物の種類に応じて、洗浄対象物をエアで洗浄したり、洗浄対象物を洗浄液で洗浄したりすることができる。また、洗浄対象物を洗浄液で洗浄した後にエア洗浄を施すことにより、短時間での乾燥が可能になる。
【０１１２】
請求項８の発明によれば、洗浄モード切換え手段は、洗浄対象物の種類に関する情報に基づいて自動的に洗浄モードを切換えるので、洗浄対象物の種類に適した洗浄モードに間違いなく確実に切換えることができる。
【０１１３】
請求項９の発明によれば、運転モード切換え手段を設けたことにより、換気手段を介して、作業空間の雰囲気圧を陽圧にして運転する陽圧運転モードと、作業空間の雰囲気圧を常圧にして運転する常圧運転モードと、作業空間の雰囲気圧を陰圧にして運転する陰圧運転モードの何れかに択一的に切換えるので、運作業空間で取り扱う薬剤や物質の種類に応じた最適な運転モードで運転させることができる。
【０１１４】
請求項１０の発明によれば、自動モード切換え手段が、作業空間で取り扱う薬剤や物質の種類に関する情報に基づいて自動的に運転モードを切換えるので、作業空間で取り扱う薬剤や物質の種類に応じて最適な運転モードに間違いなく確実に切換えることができる。
【図面の簡単な説明】
【図１】本発明の実施の形態に係る洗浄パスボックス付きクリーンベンチ装置の正面図である。
【図２】洗浄パスボックス付きクリーンベンチ装置の部分的に横断面図を示す平面図である。
【図３】図１のＩＩＩ  −ＩＩＩ  線断面図である。
【図４】陽圧運転モード時の洗浄パスボックス付きクリーンベンチ装置であり（ａ）は縦断面図（ｂ）は説明図である。
【図５】常圧運転モード時の洗浄パスボックス付きクリーンベンチ装置であり（ａ）は縦断面図（ｂ）は説明図である。
【図６】常圧運転モード時の洗浄パスボックス付きクリーンベンチ装置であり（ａ）は縦断面図（ｂ）は説明図である。
【図７】洗浄パスボックス付きクリーンベンチ装置の制御装置を含むブロック図である。
【図８】制御装置が実行する制御のフローチャートである。
【図９】３種類に分類された種々の薬剤等を示す図表である。
【図１０】変更形態に係るクリーンベンチ装置の側面図である。
【符号の説明】
１            洗浄パスボックス付きクリーンベンチ装置
２            洗浄パスボックス
３            クリーンベンチ
１１          洗浄空間
１２          洗浄装置
２０          吸気口
２１          排気口
２４          吸気ファン
２６          排気ファン
３０          作業テーブル
３１          作業空間
３２          ケース
３３          作業用開口
３４          シャッタ
３５          換気装置
３６          循環フィルタ
３７          排気フィルタ
３８          仕切壁
４０          電動ファン
４１          吸気口
４２          排気口
４３          吸気通路
４４          第１ダンパ
４５          排気通路
４６          第２ダンパ
５５          排気連通口
５７          搬入用開口
５８          開閉扉
【図１】
2004183951.tif 000003
【図２】
2004183951.tif 000004
【図３】
2004183951.tif 000005
【図４】
2004183951.tif 000006
【図５】
2004183951.tif 000007
【図６】
2004183951.tif 000008
【図７】
2004183951.tif 000009
【図８】
2004183951.tif 000010
【図９】
2004183951.tif 000011
【図１０】
2004183951.tif 000012